(57)【要約】      （修正有）【課題】シャーシを先に壁面へ取り付けたのちに集合玄関機ユニットを取り付けることができ施工性のよい集合玄関機の組立て構造を提供する。【解決手段】テンキー、呼出ボタン、マイク、スピーカ等の操作部、通話部を備える集合玄関機ユニットと、集合玄関機ユニットが取り付けられるシャーシと、集合玄関機ユニットの前面に取り付けられる集合玄関機パネルとから構成される集合玄関機であって、シャーシは、ビスにより壁面に固定され、シャーシに集合玄関機パネルを取り付けるにあたり、シャーシの前面側から取り付けるために、集合玄関機パネルは、シャーシの嵌合片に係止され、当該集合玄関機パネルと一体的に構成される弾性を有する複数の弾性ツメと、嵌合片上に形成される位置決め溝に接合される位置決めリブと、集合玄関機パネルをシャーシに取り付けたときに押し込まれないよう嵌合片の上面に接する押し込み防止片とを有する。【選択図】図２
2010050797.tif 000002
【特許請求の範囲】
【請求項１】
テンキー、呼出ボタン、マイク、スピーカ等の操作部、通話部を備える集合玄関機ユニットと、前記集合玄関機ユニットが取り付けられるシャーシと、前記集合玄関機ユニットの前面に取り付けられる集合玄関機パネルとから構成される集合玄関機であって、
前記シャーシは、ビスにより壁面に固定され、
前記シャーシに前記集合玄関機ユニットを取り付けるにあたり、前記シャーシの前面側から取り付けるために、
前記集合玄関機ユニットは、前記シャーシの嵌合片に係止され、当該集合玄関機ユニットと一体的に構成される弾性を有する複数の弾性ツメと、前記嵌合片上に形成される位置決め溝に接合される位置決めリブと、前記集合玄関機機ユニットを前記シャーシに取り付けたときに押し込まれないよう前記嵌合片の上面に接する押し込み防止片とを有することを特徴とする集合玄関機の組立て構造。
【発明の詳細な説明】
【技術分野】
【０００１】
本発明は、集合玄関機の組立て構造に関し、特に、シャーシを先に壁面へ取り付けたのちに集合玄関機ユニットを取り付けることができ施工性のよい集合玄関機の組立て構造に関するものである。
【背景技術】
【０００２】
従来、インターホンを壁面に取り付けるにあたって、シャーシに集合玄関機を取り付けた後に壁面などに取り付けるものであった。
【特許文献１】特開２００６−２８６４２６号公報
【発明の開示】
【発明が解決しようとする課題】
【０００３】
しかしながら、上記従来の集合玄関機の組立て構造においては、シャーシに集合玄関機を取り付けた後に壁面などに取り付けるので、集合玄関機全体が非常に重いものとなってしまい、特に集合玄関機は大型である為、取り付けるのが困難となっていた。
そこで、本発明は、上記問題に鑑みなされたものであって、集合玄関機ユニットをシャーシの前面から取り付け可能とすることにより、取付時の重さを低減し、施工性を向上させることが可能な集合玄関機の組立て構造を提供することを目的とする。
【課題を解決するための手段】
【０００４】
上記目的を達成するために、本発明のうち請求項１に記載の発明は、テンキー、呼出ボタン、マイク、スピーカ等の操作部、通話部を備える集合玄関機ユニットと、集合玄関機ユニットが取り付けられるシャーシと、集合玄関機ユニットの前面に取り付けられる集合玄関機パネルとから構成される集合玄関機であって、シャーシは、ビスにより壁面に固定され、シャーシに集合玄関機機ユニットを取り付けるにあたり、シャーシの前面側から取り付けるために、集合玄関機機ユニットは、シャーシの嵌合片に係止され、当該集合玄関機機ユニットと一体的に構成される弾性を有する複数の弾性ツメと、嵌合片上に形成される位置決め溝に接合される位置決めリブと、集合玄関機機ユニットをシャーシに取り付けたときに押し込まれないよう嵌合片の上面に接する押し込み防止片とを有することを特徴とする。
この構成によれば、集合玄関機ユニットをシャーシの前面から取り付け可能とすることができるので取付時の重さを低減し、施工性を向上させることが可能となる。
【発明の効果】
【０００５】
本発明によれば、集合玄関機ユニットをシャーシの前面から取り付け可能とすることができるので取付時の重さを低減し、施工性を向上させることが可能となる。
【発明を実施するための最良の形態】
【０００６】
以下、本発明の一実施形態となる集合玄関機の組立て構造について、図面にもとづき詳細に説明する。
【０００７】
図１は、集合玄関機１の概観図である。集合玄関機１は、集合玄関機ユニット２、シャーシ３、集合玄関機パネル４とから構成されている。
図２は、集合玄関機ユニット２であり、図２（ａ）は、正面からの斜視図、（ｂ）は、背面からの斜視図である。
集合玄関機ユニット２には、カメラ２１、テンキー２２、マイク２３、スピーカ２４、呼出ボタン２５を有し、さらに後に詳述する弾性ツメ２６、位置決めリブ２７、押込み防止片２８を有している。
【０００８】
図３は、シャーシ３の斜視図である。
シャーシ３には、後述する嵌合片３１、位置決め溝３２、ビス孔３３を有している。
このように構成される集合玄関機１を施工する方法を以下に説明する。
まず、図３のシャーシ３を壁面に取り付けるためにビス孔３３にビスで固定する。この状態において、シャーシ３の前面側から集合玄関機ユニット２を取り付ける。シャーシ３の外周近傍には嵌合片３１がある一定の幅で形成されている。当該嵌合片の一部に位置決め溝３２を上下左右にそれぞれ設けており、これに嵌まり込む位置に集合玄関機ユニット２の位置決めリブ２７が形成されている。
【０００９】
そして、位置決めリブ２７を位置決め溝３２に嵌め込み、壁面側に押し込む。すると、集合玄関機ユニット２の外周（左右）に２つずつ設けた弾性ツメ２７が、シャーシ３の嵌合片３１に接することで機器（集合玄関機ユニット）内側方向にたわんで弾性ツメの頂点を乗り越えたときに嵌合されて係止される（詳述せず）。また、集合玄関機ユニット２の周囲には押込み防止片２８があり、それがシャーシ３の嵌合片３１に当たることになるので、それ以上の押し込みができず、集合玄関機ユニット２が破損することがない。
上記実施例において、シャーシ３の嵌合片３１には、弾性ツメ２６を係止する作用と、位置決めリブ２７を嵌合するための作用と、押込み防止片２８が面で接する作用とをかねた構成となっている。
【００１０】
これで、図４のようにシャーシ３に集合玄関機ユニット２が取り付けられて図５の状態となる。さらにこの上から集合玄関機パネル４を取り付けることで図１のように集合玄関機１の施工が終了する。
【００１１】
このように構成すれば、先に重い物質で構成されている集合玄関機ユニット２とシャーシ３を分離して取り付けることが可能なので施工性を飛躍的に高めることが可能となる。
【図面の簡単な説明】
【００１２】
【図１】本発明に係る集合玄関機の組立て構造における集合玄関機の外観図。
【図２】本発明に係る集合玄関機の組立て構造における集合玄関機ユニット２の斜視図であり、（ａ）は、正面からの斜視図、（ｂ）は、背面からの斜視図である。。
【図３】本発明に係る集合玄関機の組立て構造におけるシャーシ３の斜視図。
【図４】本発明に係る集合玄関機の組立て構造におけるシャーシ３に集合玄関機ユニット２を取り付ける分解斜視図。
【図５】本発明に係る集合玄関機の組立て構造におけるシャーシ３に集合玄関機ユニット２が取り付けられた外観図。
【符号の説明】
【００１３】
１・・・集合玄関機
２・・・集合玄関機ユニット
２２・・・テンキー
２３・・・マイク
２４・・・スピーカ
２６・・・弾性ツメ
２７・・・位置決めリブ
２８・・・押込み防止片
３・・・シャーシ
３１・・・嵌合片
３２・・・位置決め溝
４・・・集合玄関機パネル
【図１】
2010050797.tif 000003
【図２】
2010050797.tif 000004
【図３】
2010050797.tif 000005
【図４】
2010050797.tif 000006
【図５】
2010050797.tif 000007